(57)【要約】【課題】放電電極の異物を除去するとともに利便性を向上できるイオン発生装置を提供する。【解決手段】基板２５上に設けられた放電電極２２に電圧を印加して放電することによりイオンを発生するイオン発生装置２０において、放電電極２２または放電電極２２に連結される支持部２９や基板２５を叩打する叩打装置４０、５０、６０を備えた。【選択図】図２
2011258436.tif 000002
【特許請求の範囲】
【請求項１】
基板に接続された放電電極に電圧を印加して放電することによりイオンを発生するイオン発生装置において、前記放電電極または前記放電電極に連結される部材を叩打する叩打装置を備えたことを特徴とするイオン発生装置。
【請求項２】
前記放電電極が前記基板に設けた貫通孔を貫通し、前記基板に対して上方の先端から放電するとともに前記叩打装置によって前記基板よりも下方を叩打することを特徴とする請求項１に記載のイオン発生装置。
【請求項３】
前記放電電極が前記貫通孔に貫通する軸部と前記貫通孔よりも大径に形成して前記基板の上方に配される当接部とを有し、前記当接部が前記貫通孔の周囲に接する方向に前記放電電極を付勢して前記叩打装置の叩打によって前記当接部が前記基板に対して軸方向に離れることを特徴とする請求項２に記載のイオン発生装置。
【請求項４】
前記放電電極が前記基板上に立設した針状に形成され、前記叩打装置が前記放電電極を立設方向に対して垂直方向に叩打することを特徴とする請求項１または請求項２に記載のイオン発生装置。
【請求項５】
一端を前記基板に接続して他端が開放された板バネ状の支持部を介して前記放電電極を前記基板に取り付けたことを特徴とする請求項１または請求項２に記載のイオン発生装置。
【請求項６】
前記支持部が前記放電電極の一部を折曲して形成されることを特徴とする請求項５に記載のイオン発生装置。
【請求項７】
前記叩打装置が所定の角度範囲で拡径された回転カムを備え、前記回転カムの回転により前記支持部を叩打することを特徴とする請求項５または請求項６に記載のイオン発生装置。
【請求項８】
ソレノイドと、前記ソレノイドのオンオフによって進退するプランジャーとを備えることを特徴とする請求項１〜請求項６のいずれかに記載のイオン発生装置。
【請求項９】
前記叩打装置が弾性部材と、前記弾性部材を弾性変形させるとともに弾性変形した前記弾性部材の畜力を瞬時に解放させる弾性部材駆動部とを備えることを特徴とする請求項１〜請求項６のいずれかに記載のイオン発生装置。
【発明の詳細な説明】
【技術分野】
【０００１】
本発明は、放電電極を有するイオン発生装置に関する。
【背景技術】
【０００２】
コロナ放電によって空気中にイオンを発生するイオン発生装置を搭載し、殺菌効果やリラクゼーション効果を得ることができる空気清浄機や、静電気を中和する除電器等の機器が知られている。
【０００３】
コロナ放電は針状の放電電極に高電圧を印加して行われ、空気中の水分子等を分解してイオンを発生する。イオン発生装置に供給される空気は一般にフィルターにより除塵されるが、微細な塵埃等がフィルターを通過する。このため、塵埃等が静電気によって放電電極の先端に吸着する場合や吸着した塵埃等が放電により析出する場合があり、放電電極の先端に異物が付着する。
【０００４】
放電電極の先端に導電性の異物が付着すると、放電が不安定になる場合やリークが生じる場合がある。また、放電電極の先端に絶縁性の異物が付着すると、 放電の低下や停止が生じる場合がある。従って、定期的に放電電極の先端を清掃することが望ましい。
【０００５】
特許文献１には針状の放電電極を清掃する清掃体を備えたイオン発生装置が開示される。このイオン発生装置は可動のブラシを備え、使用者の操作によって定期的にブラシと放電電極とを摺動させる。これにより、放電電極の先端に付着した異物が除去され、コロナ放電を安定して発生させることができる。
【先行技術文献】
【特許文献】
【０００６】
【特許文献１】特開２０１０−２７３９０号公報（第５頁−第１５頁、第３図）
【発明の概要】
【発明が解決しようとする課題】
【０００７】
しかしながら、上記従来のイオン発生装置によると、イオン発生装置の長期使用によってブラシが劣化するため、イオン発生装置を分解してブラシを交換する必要がある。従って、イオン発生装置の利便性が悪い問題があった。
【０００８】
本発明は、放電電極の異物を除去するとともに利便性を向上できるイオン発生装置を提供することを目的とする。
【課題を解決するための手段】
【０００９】
上記目的を達成するために本発明は、基板に接続された放電電極に電圧を印加して放電することによりイオンを発生するイオン発生装置において、前記放電電極または前記放電電極に連結される部材を叩打する叩打装置を備えたことを特徴としている。
【００１０】
この構成によると、放電電極に基板を介して電圧が印加されると、放電によってイオンが発生する。所定の時期に叩打装置によって放電電極、基板或いは放電電極と基板との接続部品が叩打される。放電電極に付着した異物は叩打装置の叩打による衝撃によって放電電極から剥離する。
【００１１】
また本発明は、上記構成のイオン発生装置において、前記放電電極が前記基板に設けた貫通孔を貫通し、前記基板に対して上方の先端から放電するとともに前記叩打装置によって前記基板よりも下方を叩打することを特徴としている。この構成によると、放電電極の基板よりも下部が叩打装置によって叩打され、衝撃によって放電電極の上端に付着した異物が剥離する。
【００１２】
また本発明は、上記構成のイオン発生装置において、前記放電電極が前記貫通孔に貫通する軸部と前記貫通孔よりも大径に形成して前記基板の上方に配される当接部とを有し、前記当接部が前記貫通孔の周囲に接する方向に前記放電電極を付勢して前記叩打装置の叩打によって前記当接部が前記基板に対して軸方向に離れることを特徴としている。
【００１３】
この構成によると、放電電極の軸部が基板の貫通孔に貫通し、当接部が付勢によって基板の上面に接して配される。叩打装置によって放電電極の下部が軸方向に叩打されると、当接部が基板から離れて付勢により基板上に落下する。これにより、放電電極には叩打装置の叩打による衝撃と、基板上への落下による衝撃とが加わる。
【００１４】
また本発明は、上記構成のイオン発生装置において、前記放電電極が前記基板上に立設した針状に形成され、前記叩打装置が前記放電電極を立設方向に対して垂直方向に叩打することを特徴としている。この構成によると、叩打装置は基板に対して平行方向に放電電極を叩打する。
【００１５】
また本発明は、上記構成のイオン発生装置において、一端を前記基板に接続して他端が開放された板バネ状の支持部を介して前記放電電極を前記基板に取り付けたことを特徴としている。この構成によると、支持部を介して放電電極に電圧が印加され、叩打装置によって放電電極や支持部が叩打されると、放電電極は叩打による衝撃が加わるとともに支持部の弾性によって振動する。
【００１６】
また本発明は、上記構成のイオン発生装置において、前記支持部が前記放電電極の一部を折曲して形成されることを特徴としている。
【００１７】
また本発明は、上記構成のイオン発生装置において、前記叩打装置が所定の角度範囲で拡径された回転カムを備え、前記回転カムの回転により前記支持部を叩打することを特徴としている。この構成によると、回転カムは回転して所定の角度範囲で拡径されるため支持部を叩打する。回転カムが支持部から離れると支持部は弾性によって振動する。
【００１８】
また本発明は、上記構成のイオン発生装置において、前記叩打装置がソレノイドと、前記ソレノイドのオンオフによって進退するプランジャーとを備えることを特徴としている。この構成によると、例えば、ソレノイドのオフ状態でプランジャーが所定位置に配され、ソレノイドのオンによってプランジャーが軸方向に突出して放電電極や基板を叩打する。
【００１９】
また本発明は、上記構成のイオン発生装置において、前記叩打装置が弾性部材と、前記弾性部材を弾性変形させるとともに弾性変形した前記弾性部材の畜力を瞬時に解放させる弾性部材駆動部とを備えることを特徴としている。この構成によると、弾性部材駆動部によって弾性部材が弾性変形し、弾性部材に弾性力が畜力されると弾性部材駆動部が弾性部材から離れる。これにより、弾性部材が元の状態に復帰して畜力が解放され、放電電極や基板を叩打する。
【発明の効果】
【００２０】
本発明によると、放電電極または放電電極に連結される部材を叩打する叩打装置を備えたので、放電電極に付着した異物が叩打装置の叩打時の衝撃によって剥離する。従って、放電電極の異物を除去することができるとともに、ブラシの交換等のメンテナンスが不要になるためイオン発生装置の利便性を向上することができる。
【図面の簡単な説明】
【００２１】
【図１】本発明の第１実施形態のイオン発生装置を示す斜視図
【図２】本発明の第１実施形態のイオン発生装置を示す正面断面図
【図３】本発明の第２実施形態のイオン発生装置の要部を示す正面断面図
【図４】本発明の第３実施形態のイオン発生装置を示す正面断面図
【図５】本発明の第３実施形態のイオン発生装置の支持部を示す上面図
【図６】本発明の第３実施形態のイオン発生装置の他の支持部を示す正面図
【図７】本発明の第３実施形態のイオン発生装置の他の支持部を示す上面図
【図８】本発明の第４実施形態のイオン発生装置を示す正面断面図
【図９】本発明の第４実施形態のイオン発生装置の放電電極を示す上面図
【図１０】図９のＡ−Ａ断面図
【図１１】図１０のＢ矢視図
【図１２】本発明の第５実施形態のイオン発生装置を示す正面断面図
【図１３】本発明の第６実施形態のイオン発生装置を示す正面断面図
【図１４】本発明の第６実施形態のイオン発生装置の圧縮バネを圧縮した状態を示す正面断面図
【図１５】本発明の第６実施形態のイオン発生装置の圧縮バネを解放した状態を示す正面断面図
【図１６】本発明の第７実施形態のイオン発生装置を示す正面断面図
【図１７】本発明の第７実施形態のイオン発生装置の叩打装置を示す側面図
【図１８】本発明の第７実施形態のイオン発生装置の叩打装置の回転カムが支持部に当接した状態を示す側面図
【発明を実施するための形態】
【００２２】
以下に本発明の実施形態を図面を参照して説明する。図１、図２は第１実施形態のイオン発生装置の斜視図及び正面断面図を示している。尚、図２はイオン発生装置２０の左半分を示しているが、右半分も同様に形成される。イオン発生装置２０は空気清浄機等に搭載され、着脱自在に設けられる。
【００２３】
イオン発生装置２０はカバー２４により覆われ、複数の放電電極２２と誘導電極２３とを備えている。放電電極２２及び誘導電極２３は高圧回路３０が実装された基板２５上に設けられる。放電電極２２は針状に形成され、基板２５上に立設される。放電電極２２の下部には基板２５に設けた貫通孔２５ａに貫通する軸部２２ａが設けられ、貫通孔２５ａよりも大径の当接部２２ｂが軸部２２ａの上方に設けられる。軸部２２ａは貫通孔２５ａに挿通されて基板２５の下方に突出し、当接部２２ｂは基板２５の上面に当接して貫通孔２５ａの周囲に設けた配線（不図示）と導通する。
【００２４】
誘導電極２３は金属板により形成され、放電電極２２を挿通する開口部を形成して放電電極２２の周囲に環状に配される。カバー２４には放電電極２２を露出する孔部２４ａが開口する。カバー２４の上面は放電電極２２の先端から所定の距離だけ離れ、孔部２４ａは誘導電極２３の開口径よりも小径に形成される。これにより、放電電極２２及び誘導電極２３に対する手指等の接触が防止される。
【００２５】
放電電極２２と誘導電極２３との間には高圧回路３０によって交流波形またはインパルス波形から成る電圧が印加される。これにより、針状の放電電極２２には基板２５に対して上方の先端にコロナ放電が発生する。
【００２６】
一方の放電電極２２には正電圧が印加され、電離により発生するイオンが空気中の水分と結合して主としてＨ＋（Ｈ２Ｏ）ｍから成る電荷が正のクラスタイオンが形成される。他方の放電電極２２には負電圧が印加され、電離により発生するイオンが空気中の水分と結合して主としてＯ２−（Ｈ２Ｏ）ｎから成る電荷が負のクラスタイオンが形成される。ここで、ｍ、ｎは任意の自然数である。
【００２７】
Ｈ＋（Ｈ２Ｏ）ｍ及びＯ２−（Ｈ２Ｏ）ｎは空気中の浮遊菌や臭い成分の表面で凝集してこれらを取り囲む。そして、式（１）〜（３）に示すように、衝突により活性種である［・ＯＨ］（水酸基ラジカル）やＨ２Ｏ２（過酸化水素）を浮遊菌や臭い成分等の表面上で凝集生成してこれらを破壊する。ここで、ｍ’、ｎ’は任意の自然数である。
【００２８】
Ｈ＋(Ｈ２Ｏ)ｍ＋Ｏ２−(Ｈ２Ｏ)ｎ→・ＯＨ＋1/2Ｏ２＋(ｍ＋ｎ)Ｈ２Ｏ    ・・・（１）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→ 2・ＯＨ＋Ｏ２＋(ｍ＋ｍ'＋ｎ＋ｎ')Ｈ２Ｏ ・・・（２）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→ Ｈ２Ｏ２＋Ｏ２＋(ｍ＋ｍ'＋ｎ＋ｎ')Ｈ２Ｏ ・・・（３）
【００２９】
従って、プラスイオン及びマイナスイオンを発生して室内の殺菌や臭い除去を行うことができる。また、放電電極２２からマイナスイオンのみを発生してリラクゼーション効果を得ることも可能である。
【００３０】
カバー２４内には放電電極２２の下方に配される叩打装置４０が設けられる。叩打装置４０はソレノイド４１、プランジャー４２及び圧縮バネ４３を備えている。ソレノイド４１に内嵌されるプランジャー４２は放電電極２２の下面に対向して配され、圧縮バネ４３によって上方に付勢される。
【００３１】
プランジャー４２はソレノイド４１のオンオフに応じて放電電極２２の立設方向に進退する。即ち、ソレノイド４１に通電されるとプランジャー４２は圧縮バネ４３の付勢力に抗して降下し、放電電極２２から離れた状態に配される。この時、圧縮バネ４３には弾性力が畜力される。
【００３２】
ソレノイド４１の通電が停止されると圧縮バネ４３が瞬時に畜力を解放し、プランジャー４２は圧縮バネ４３の付勢力によって上昇する。この時、プランジャー４２は放電電極２２の下面を叩打する。尚、ソレノイド４１に通電した際にプランジャー４２が上昇し、ソレノイド４１の通電が停止されるとプランジャー４２が下降するように構成してもよい。
【００３３】
放電電極２２の先端には塵埃等の静電気による吸着や放電による析出によって異物Ｗとして付着する。異物Ｗは吸着によって放電電極２２の表面全体に形成される場合や、放電電極２２の先端から析出物が成長して角状、球状、キノコ状等に形成される場合がある。イオン発生装置２０を搭載した機器の運転開始時や該機器に設けられるクリーンモードの実行指示があった際等の時期に叩打装置４０が駆動される。
【００３４】
叩打装置４０の駆動によってソレノイド４１がオンオフされ、プランジャー４２が上昇して元の位置に戻る。これにより、放電電極２２に付着して成長した異物Ｗはプランジャー４２の叩打による衝撃によって剥離する。従って、放電電極２２に付着した異物Ｗを除去することができる。
【００３５】
本実施形態によると、放電電極２２を叩打する叩打装置４０を備えたので、放電電極２２に付着した異物Ｗが叩打装置４０の叩打時の衝撃によって剥離する。従って、放電電極２２の異物Ｗを除去することができるとともに、ブラシの交換等のメンテナンスが不要になるためイオン発生装置２０の利便性を向上することができる。
【００３６】
また、放電電極２２が基板２５の貫通孔２５ａを貫通し、基板２５に対して上方の先端から放電するとともに叩打装置３９によって基板２５よりも下方を叩打するので、放電電極２２を叩打する叩打装置４０をカバー２４内に容易に配置することができる。
【００３７】
また、叩打装置４０がソレノイド４１とソレノイド４１のオンオフによって進退するプランジャー４２とを備えるので、ソレノイド４１のオンオフによって放電電極２２を容易に叩打することができる。
【００３８】
また、叩打装置４０が弾性部材である圧縮バネ４３と、圧縮バネ４３を弾性変形させるとともに弾性変形した圧縮バネ５１の畜力を瞬時に解放させるソレノイド４１（弾性部材駆動部）とを備えるので、ソレノイド４１のオンオフによって放電電極２２を容易に叩打することができる。
【００３９】
尚、放電電極２２に連結された基板２５を叩打装置４０により叩打してもよい。これにより、放電電極２２に付着した異物Ｗが基板２５の叩打時の衝撃によって剥離し、異物Ｗを除去することができる。
【００４０】
次に、図３は第２実施形態のイオン発生装置２０の要部の正面断面図を示している。説明の便宜上、前述の図１、２に示す第１実施形態と同様の部分には同一の符号を付している。本実施形態は、放電電極２２の取り付け構造が第１実施形態と異なっている。その他の部分は第１実施形態と同様である。
【００４１】
当接部２２ａの上方には放電電極２２の先端が挿通される孔部２６ａを有したカップ状の固定カバー２６が被嵌される。固定カバー２６はリベット１９によって基板２５に固定される。固定カバー２６と当接部２２ｂとの間にはＯリング２７が配される。Ｏリング２７の付勢によって当接部２２ｂが貫通孔２５ａの周囲に設けた配線（不図示）に接して導通する。
【００４２】
また、放電電極２２の下方には第１実施形態と同様の叩打装置４０が設けられる。叩打装置４０のプランジャー４２は放電電極２２の下面を立設方向に叩打して元の位置に戻る。この時、当接部２２ｂは基板２５に対して軸方向に離れ、Ｏリング２７の付勢によって基板２５上に落下する。このため、放電電極２２はプランジャー４２の叩打による衝撃と、落下して基板２５と衝突した際の衝撃とが加わる。これにより、放電電極２２に付着した異物Ｗが剥離して除去される。
【００４３】
本実施形態によると、当接部２２ｂが貫通孔２５ａの周囲に接する方向に放電電極２２をＯリング２７により付勢し、叩打装置４０の叩打によって当接部２２ｂが基板２５に対して軸方向に離れるので、放電電極２２は叩打装置４０の叩打による衝撃と、落下して基板２５と衝突した際の衝撃とが加わる。従って、放電電極２２に付着した異物Ｗをより確実に除去することができる。
【００４４】
次に、図４は第３実施形態のイオン発生装置２０の正面断面図を示している。説明の便宜上、前述の図１、２に示す第１実施形態と同様の部分には同一の符号を付している。本実施形態は、放電電極２２の取り付け構造が第１実施形態と異なっている。その他の部分は第１実施形態と同様である。
【００４５】
基板２５には板バネ状の支持部２９が設けられる。図５は支持部２９の上面図を示している。図４、図５において、支持部２９は一端に設けた孔部２９ｂにリベット１９を挿通して基板２５に固定される。支持部２９の他端は開放され、嵌合孔２９ａが設けられる。嵌合孔２９ａには放電電極２２がカシメによって固定され、放電電極２２の支持部２９よりも下方の軸部２２ａは基板２５の貫通孔２５ａを貫通する。これにより、放電電極２２は支持部２９により基板２５上の配線（不図示）に導通し、上下方向に揺動自在に弾性支持される。
【００４６】
放電電極２２の下方には第１実施形態と同様の叩打装置４０が設けられる。叩打装置４０のプランジャー４２は放電電極２２の下面を叩打して元の位置に戻る。この時、放電電極２２はプランジャー４２の叩打による衝撃が加わるとともに、プランジャー４２が後退した後に支持部２９の弾性によって振動する。これにより、放電電極２２に付着した異物Ｗが剥離して除去される。
【００４７】
本実施形態によると、一端を基板２５に接続して他端が開放された板バネ状の支持部２９を介して放電電極２２を基板２５に取り付けたので、放電電極２２は叩打装置４０の叩打による衝撃と、支持部２９の弾性による振動とが加わる。従って、放電電極２２に付着した異物Ｗをより確実に除去することができる。
【００４８】
本実施形態において、放電電極２２をカシメによって支持部２９に固定しているが、他の方法により固定してもよい。図６、図７は支持部２９の他の構成を示す正面図及び上面図である。支持部２９の一端はリベット１９（図４参照）を挿通する孔部２９ｂが設けられ、他端は放電電極２２に溶接される。これにより、放電電極２２を支持部２９に固定することができる。
【００４９】
また、放電電極２２に連結された基板２５や支持部２９を叩打装置４０により叩打して放電電極２２に付着した異物Ｗを除去してもよい。
【００５０】
次に、図８は第４実施形態のイオン発生装置２０の正面断面図を示している。説明の便宜上、前述の図４、図５に示す第３実施形態と同様の部分には同一の符号を付している。本実施形態は、板バネ状の支持部と放電電極とを一体に形成している。その他の部分は第３実施形態と同様である。
【００５１】
放電電極３２は一体に形成した板バネ状の支持部３２ｃが基板２５に取り付けられる。図９は放電電極３２の上面図を示している。また、図１０は図９のＡ−Ａ断面図を示しており、図１１は図１０のＢ矢視図を示している。放電電極３２は金属板から成り、一端には先端が尖鋭に形成された放電部３２ｂが設けられる。放電電極３２に電圧が印加されると放電部３２ｂからコロナ放電が発生する。
【００５２】
放電部３２ｂの下方には両側部を折曲して支持部３２ｃが形成され、中央部には幅の狭い軸部３２ａが形成される。軸部３２ａは基板２５の貫通孔２５ａを貫通する。支持部３２ｃにはリベット１９を挿通する孔部３２ｄが設けられる。リベット１９により支持部３２ｃの一端は基板２５に固定され、開放された他端に放電部３２ｂが設けられる。これにより、放電電極３２は一部を折曲した支持部３２ｃにより基板２５上の配線（不図示）に導通し、上下方向に揺動自在に弾性支持される。
【００５３】
放電電極３２の軸部３２ａ下方には第１実施形態と同様の叩打装置４０が設けられる。叩打装置４０のプランジャー４２は放電電極３２の下面を叩打して元の位置に戻る。この時、放電電極３２はプランジャー４２の叩打による衝撃が加わるとともに、プランジャー４２が後退した後に支持部３２ｃの弾性によって振動する。これにより、放電電極３２に付着した異物Ｗが剥離して除去される。
【００５４】
本実施形態によると、第３実施形態と同様の効果を得ることができるとともに、支持部３２ｃが放電電極３２と一体に形成されるため部品点数を削減することができる。
【００５５】
本実施形態において、放電電極３２の放電部３２ｂに連結された基板２５や支持部３２ｃを叩打装置４０により叩打して放電電極３２に付着した異物Ｗを除去してもよい。
【００５６】
次に、図１２は第５実施形態のイオン発生装置２０の正面断面図を示している。説明の便宜上、前述の図１、２に示す第１実施形態と同様の部分には同一の符号を付している。本実施形態は、叩打装置４０の配置が第１実施形態と異なっている。その他の部分は第１実施形態と同様である。
【００５７】
叩打装置４０は基板２５の上面に設置され、針状の放電電極２２の立設方向に垂直な方向（基板２５に平行な方向）にプランジャー４２が進退する。
【００５８】
叩打装置４０の駆動によってプランジャー４２が放電電極２２の立設方向に垂直方向に進行し、放電電極２２の基板２５よりも上部を叩打して元の位置に戻る。これにより、放電電極２２に付着して成長した異物Ｗはプランジャー４２の叩打による衝撃によって剥離する。従って、第１実施形態と同様に、放電電極２２の異物Ｗを除去することができるとともに、ブラシの交換等のメンテナンスが不要になるためイオン発生装置２０の利便性を向上することができる。
【００５９】
次に、図１３は第６実施形態のイオン発生装置２０の正面断面図を示している。説明の便宜上、前述の図１、２に示す第１実施形態と同様の部分には同一の符号を付している。本実施形態は、叩打装置４０（図２参照）に替えて叩打装置５０が設けられる。その他の部分は第１実施形態と同様である。
【００６０】
放電電極２２の軸部２２ａは基板２５の貫通孔２５ａ（図２参照）を貫通し、基板２５の下方に延びる。カバー２４内の基板２５よりも下方には叩打装置５０が配される。叩打装置５０は圧縮バネ５１、ハンマー５２及び円板５３を備えている。圧縮バネ５１は軸方向が放電電極２２の立設方向に垂直な方向に配され、伸縮自在の弾性部材を構成する。
【００６１】
ハンマー５２は圧縮バネ５１の端面に取り付けられ、放電電極２２の軸部２２ａに面して配される。円板５３（弾性部材駆動部）は圧縮バネ５１の下方に配され、モータ（不図示）の駆動によって回転自在に構成される。円板５３の周部にはハンマー５２に係合するピン５３ａが突設される。
【００６２】
図１４に示すように、円板５３が矢印Ｄに示すように図中、時計回りに回転すると、ピン５３ａがハンマー５２の放電電極２２側の端面に係合して圧縮バネ５１を圧縮する。これにより、圧縮バネ５１に弾性力が畜力される。
【００６３】
図１５に示すように円板５３が更に回転すると、ピン５３ａとハンマー５２との係合が解除される。これにより、圧縮バネ５１が瞬時に畜力を解放し、ハンマー５２が放電電極２２を立設方向に垂直な方向に叩打する。放電電極２２に付着した異物Ｗはハンマー５２の叩打による衝撃によって剥離する。従って、放電電極２２に付着した異物Ｗを除去することができる。
【００６４】
本実施形態によると、第１実施形態と同様に、放電電極２２を叩打する叩打装置５０を備えたので、放電電極２２に付着した異物Ｗが叩打装置５０の叩打時の衝撃によって剥離する。従って、放電電極２２の異物Ｗを除去することができるとともに、ブラシの交換等のメンテナンスが不要になるためイオン発生装置２０の利便性を向上することができる。
【００６５】
また、叩打装置５０が弾性部材である圧縮バネ５１と、圧縮バネ５１を弾性変形させるとともに弾性変形した圧縮バネ５１の畜力を瞬時に解放する円板５３（弾性部材駆動部）とを備えるので、円板５３の回転によって放電電極２２を容易に叩打することができる。
【００６６】
本実施形態において、放電電極２２に連結された基板２５を叩打装置５０により叩打してもよい。また、圧縮バネ５１の軸方向を放電電極２２の立設方向に一致するように配置し、ハンマー５２によって放電電極２２の下面を叩打してもよい。この時、第２実施形態と同様にＯリング２７及び固定カバー２６（いずれも図３参照）により放電電極２２を基板２５に取り付けてもよい。
【００６７】
また、第３実施形態と同様に放電電極２２を支持部２９（図４参照）により基板２５に取り付けてもよく、第４実施形態と同様に支持部３２ｃを一体に形成した放電電極３２（図８参照）を設けてもよい。この時、放電電極２２、３２に連結された支持部２９、３２ｃを叩打装置５０により叩打してもよい。
【００６８】
次に、図１６は第７実施形態のイオン発生装置２０の正面断面図を示している。説明の便宜上、前述の図４、図５に示す第３実施形態と同様の部分には同一の符号を付している。本実施形態は、叩打装置４０（図４参照）に替えて叩打装置６０が設けられ、叩打装置６０によって支持部２９が叩打される。その他の部分は第３実施形態と同様である。
【００６９】
放電電極２２を支持する支持部２９の一端は基板２５上にリベット１９で固定され、他端は解放されて基板２５に平行な方向に延びて形成される。叩打装置６０は基板２５の上方に配され、モータ６１及び回転カム６２を備えている。
【００７０】
図１７は叩打装置６０の側面図を示している。回転カム６２はモータ６１の軸部６１ａに取り付けられ、軸部６１ａと同心の円筒面を有する円筒部６２ａと、円筒部６２ａに対して所定の角度範囲で拡径された拡径部６２ｂとを有している。回転カム６２は支持部２９の開放された端部の上方に配される。
【００７１】
同図に示すように、円筒部６２ａが支持部２９に対向した状態で回転カム６２と支持部２９とは離れて配される。回転カム６２がモータ６１の駆動によって矢印Ｅに示すように図中、時計回りに回転すると、図１８に示すように回転カム６２の拡径部６２ｂが支持部２９を叩打する。また、回転カム６２が更に回転して支持部２９から離れると、支持部２９が弾性によって振動する。このため、放電電極２２は回転カム６２の叩打による衝撃が加わるとともに、回転カム６２が支持部２９から離れた後に支持部２９の弾性によって振動する。これにより、放電電極２２に付着した異物Ｗが剥離して除去される。
【００７２】
本実施形態によると、第３実施形態と同様に、放電電極２２は叩打装置６０の叩打による衝撃と、支持部２９の弾性による振動とが加わる。従って、放電電極２２に付着した異物Ｗをより確実に除去することができる。
【００７３】
尚、回転カム６２が支持部２９に叩打して離れた際に支持部２９に近接するように配置してもよい。これにより、拡径部６２ｂが離れた支持部２９が弾性によって回転カム６２の円筒部６２ａに衝突し、衝突時の衝撃を放電電極２２に加えることができる。
【００７４】
また、叩打装置６０が所定の角度範囲で拡径された回転カム６２を備え、回転カム６２により支持部２９を叩打するので、放電電極２２に連結される支持部２９を叩打する叩打装置６０を容易に実現することができる。
【００７５】
本実施形態において、第４実施形態と同様に、放電電極を支持部と一体に形成してもよい。
【産業上の利用可能性】
【００７６】
本発明によると、コロナ放電を行う放電電極を有したイオン発生装置を搭載した機器に利用することができる。
【符号の説明】
【００７７】
１９    リベット
２０    イオン発生装置
２２、３２    放電電極
２２ａ、３２ａ  軸部
２２ｂ  当接部
２３    誘導電極
２４    カバー
２４ａ  孔部
２５    基板
２５ａ  貫通孔
２６    固定カバー
２７    Ｏリング
２９、３２ｃ  支持部
３０    高圧回路
４０、５０、６０  叩打装置
４１    ソレノイド
４２    プランジャー
４３、５１  圧縮バネ
５２    ハンマー
５３    円板
５３ａ  ピン
６１    モータ
６２    回転カム
【図１】
2011258436.tif 000003
【図２】
2011258436.tif 000004
【図３】
2011258436.tif 000005
【図４】
2011258436.tif 000006
【図５】
2011258436.tif 000007
【図６】
2011258436.tif 000008
【図７】
2011258436.tif 000009
【図８】
2011258436.tif 000010
【図９】
2011258436.tif 000011
【図１０】
2011258436.tif 000012
【図１１】
2011258436.tif 000013
【図１２】
2011258436.tif 000014
【図１３】
2011258436.tif 000015
【図１４】
2011258436.tif 000016
【図１５】
2011258436.tif 000017
【図１６】
2011258436.tif 000018
【図１７】
2011258436.tif 000019
【図１８】
2011258436.tif 000020